(57)【要約】  本発明は、姿勢と生命徴候用モニターリングシステム及び方法を掲示する。少しの実施形態として、当該システムは、ユーザが坐るための一つのクッションを含む。クッションは、第１のファイバーセンサーと、第２のセンサーと、第１の計算装置とを含む。当該システムは、更に第２の計算装置を含むことができ、第１の計算装置と通信可能にカップリングされ、且つ第１の計算装置からセンサーデータを受信するように構成される。第１の計算装置及び/又は第２の計算装置は、ユーザの運動を表示する信号とユーザの運動方向を表示する信号を互いに結合しており、ユーザの姿勢を確定することを実施できる。システムは、ユーザの姿勢に基づいて、フィードバックを提供して且つ動作をリコメンデーションしており、姿勢を改善することができる。当該システムは、更にユーザの心拍数、呼吸率、又は他の生命徴候をモニターすることができる。
2017535316.tif 000002
【特許請求の範囲】
【請求項１】
一つのクッションを含み、そのクッションは、
ユーザの運動を表示する第１の信号を生成する第１のファイバーセンサーと、
ユーザの運動方向を表示する第２の信号を生成する第２のセンサーと、及び
第１のプロセッサーと、第１の指令セットが記憶されるメモリーとを含む第１の計算装置と、及び
第２の計算装置を含む姿勢用モニターリングシステムにおいて、
第２の計算装置は、第１の計算装置に通信可能にカップリングされ、且つ第２の計算装置は、第２のプロセッサーと、第２の指令セットが記憶されるメモリーとを含み、第１の指令セットと第２の指令セットとの実施は、一つの実施方法を引き起こし、
データを第１の計算装置から第２の計算装置に伝送し、
ユーザの運動を表示する第１の信号とユーザの運動方向を表示する第２の信号とを結合してユーザの姿勢を確定し、
ユーザの姿勢を変えるか否かをリコメンデーションすることを確定し、及び
ユーザの姿勢を変えることをリコメンデーションするであれば、第２の計算装置によってユーザに一つの動作をリコメンデーションすることを含む、
ことを特徴とする姿勢用モニターリングシステム。
【請求項２】
前記第２のセンサーは、第２のファイバーセンサーである、
請求項１に記載のシステム。
【請求項３】
前記第２のセンサーは、圧力センサーである、
請求項１に記載のシステム。
【請求項４】
前記第１のファイバーセンサー又は第２のセンサーは、更にユーザの生命徴候を表示する第３の信号を生成することを設置する、
請求項１に記載のシステム。
【請求項５】
前記生命徴候は、呼吸波形と心電波形との１種又は２種である、
請求項４に記載のシステム。
【請求項６】
前記動作は、立つ、歩く、姿勢を正す、及びストレッチする、の一種又は多種である、
請求項１に記載のシステム。
【請求項７】
前記クッションは、携帯式である、
請求項１に記載のシステム。
【請求項８】
前記クッションは、椅子、シート、睡眠ポッド、又はソファーの一部分に形成される、
請求項１に記載のシステム。
【請求項９】
前記第１の計算装置と第２の計算装置は、互いに無線で通信する、
請求項１に記載のシステム。
【請求項１０】
前記第２の計算装置は、スマートフォン、ウェアラブル装置、タブレットピーシー、携帯式パソコン、ほかの携帯式計算装置、又はリモートサーバーを含む、
請求項１に記載のシステム。
【請求項１１】
前記第１のファイバーセンサーは、単層変形構造を含む、
請求項１に記載のシステム。
【請求項１２】
前記クッションは、更に一つの記憶発泡材料層を含む、
請求項１に記載のシステム。
【請求項１３】
ユーザの運動を表示する第１の信号を受信し、前記第１の信号がクッション内の第１のファイバーセンサーで生成され、
ユーザの運動方向を表示する第２の信号を受信し、前記第２の信号がクッション内の第２のセンサーで生成され、
ユーザの運動を表示する第１の信号とユーザの運動方向を表示する第２の信号とを結合してユーザの姿勢を確定し、
ユーザの姿勢を変えるか否かをリコメンデーションすることを確定し、及び
ユーザの姿勢を変えることをリコメンデーションするであれば、ユーザに一つの動作をリコメンデーションして、姿勢を変える、ことを含む、
ことを特徴とする姿勢用モニターリングのコンピュータ方法。
【請求項１４】
前記動作は、立つ、歩く、ストレッチする、及び姿勢を正す、の一種又は多種である、
請求項１３に記載のコンピュータ方法。
【請求項１５】
ユーザが身体前傾、身体後傾、身体左傾、身体右傾、真っ直ぐに坐っている、又は猫背か否かを認識することを更に含む、
請求項１３に記載のコンピュータ方法。
【請求項１６】
ユーザの姿勢を変えることをリコメンデーションするであれば、第１の計算装置又は第２の計算装置に一つの警報が生成されることを更に含む、
請求項１５に記載のコンピュータ方法。
【請求項１７】
ユーザの生命徴候を表示する第３の信号を受信することを更に含み、前記第３の信号は、第１のファイバーセンサー又は第２のセンサーで生成する、
請求項１３に記載のコンピュータ方法。
【請求項１８】
前記生命徴候は、呼吸波形と心電波形との１種又は２種である、
請求項１７に記載のコンピュータ方法。
【請求項１９】
ユーザの圧力レベルを確定することを更に含み、前記圧力レベルは、少なくとも部分に心電波形の変異性の変化に基づく、
請求項１８に記載のコンピュータ方法。
【請求項２０】
第１の信号、第２の信号、及び第３の信号の一つ又は複数の信号に基づいて、ユーザの睡眠周期をモニターすることを更に含む、
請求項１７に記載のコンピュータ方法。
【請求項２１】
一つの信号を生成してクッション内の振動機をトリガーすることを更に含み、前記信号は、ユーザの適宜な睡眠周期階段に生成される、
請求項２０に記載のコンピュータ方法。
【請求項２２】
ユーザの生命徴候を変えるか否かをリコメンデーションすることを確定し、及び
ユーザの生命徴候を変えることをリコメンデーションするであれば、ユーザに第２の動作をリコメンデーションして生命徴候を変えることを更に含む、
請求項１７に記載のコンピュータ方法。
【請求項２３】
第２の動作は、立つ、歩く、ストレッチする、及び呼吸訓練の一種又は多種である、
請求項１８に記載のコンピュータ方法。
【請求項２４】
ユーザの生命徴候を変えることをリコメンデーションするであれば、第１の計算装置又は第２の計算装置に一つの警報が生成されることを更に含む、
請求項１８に記載のコンピュータ方法。
【発明の詳細な説明】
【技術分野】
【０００１】
本願は、３５Ｕ.Ｓ.C、§ １１９（ｅ）により、出願日が２０１４年９月３０日、第６２/０５７２３７号、発明名称が「生命徴候ファイバーセンサー」である米国仮出願の先取権を主張し、当該出願の全文を援用の方式で本願に合わせている。
【０００２】
本明細書に言及した全ての公開案及び特許出願は、援用の方式で本願に合わせ、当該援用の程度が特定な及び個別なように各公開案又は特許出願の掲示された全体内容を援用の方式で合わせている。
【０００３】
本発明は、主に健康と保健領域に関し、特別に新型で有効な姿勢と生命徴候用モニターリングシステム及び方法を関する。
【背景技術】
【０００４】
アメリカ人は、毎日平均11時間を坐っている。そして、アメリカで、略２３．５％の成年人は、スポーツに参加しない。運動不足のせいで、略２４０億米ドルの直接な医療払いを招く。オフィス仕事の時間と、電子ゲームとテレビ娯楽の時間と、現代化生活装置の普及（例えば、エレベーター、電動交通、家庭とネットショッピングなど）は、長い時間で坐る生活方式の増加を招いた原因の一部である。長い時間で坐る生活方式を招くことは、罹患率を増加するだけなく不良な姿勢を招いており、圧力や、頸部疲労や、心臓病気や、結腸癌や、関節痛や、及び静脈怒張などの健康問題の発生確率を増加する。
【０００５】
そのほか、運動不足と姿勢不良が下背部痛みとそのほかの背部問題を招く。背部痛みは、個人が虚弱で、且つ多額の支出を支払うことが可能であり、社会について、背部痛みは、労働力を失う及び仕事を遅刻する主な要素と最も普通の原因である。多数の人について、背部痛みは、特に長い時間で坐る場合に、良好な姿勢を保持することによって避ける又は軽減することができる。多くの人は、良好な姿勢が大切なことを知っているが、しかし長い時間で坐る場合に、脊柱の重力を抵抗する状態を保持することが非常に難しい。
【０００６】
現在、少しの携帯装置、例えワイヤレス心拍数モニターと他のウェアラブル装置は、一種又は多種の生命徴候を測定することができる。ほかの携帯装置は、ステップ数を計数し、又は一項の活動レベルの指標をモニターすることができる。しかしながら、従来の消費類製品を使用すると、姿勢をモニターし、生命徴候を精確的に測定し、一種又は多種のスポーツを記憶してリコメンデーションし、何時にこれらのスポーツをすることが適切で必要であるかを知り、及び個人の進歩を評価することが実現難しい。従って、新しく有効的な姿勢と生命徴候用モニターリングシステム及び方法が必要になる。そして、本発明は、そのような新しく有効的なシステム及び方法を提供する。
【発明の概要】
【発明が解決しようとする課題】
【０００７】
本発明によれば、姿勢と生命徴候用モニターリングシステム及び方法を記載している。一方に姿勢用モニターリングシステムを掲示し、そのシステムは、選択可能に生命徴候用モニターリングできる。一般に、前記姿勢と生命徴候用モニターリングシステムは、一つのクッションを含む。少しの実施形態として、前記クッションは、携帯式であり、他の実施形態において、前記クッションは、椅子、シート、睡眠ポッド、又はソファーの一部分に形成される。少しの実施形態として、前記クッションは、更に一つの記憶発泡材料層を含む。
【０００８】
各実施形態として、前記クッションは、ユーザの運動を表示する第１の信号を生成できる第１のファイバーセンサーと、ユーザの運動方向を表示する第２の信号を生成できる第２のセンサーと、及び第１のプロセッサーと第１の指令セットが記憶されるメモリーとを含む第１の計算装置とを含む。
【０００９】
少しの実施形態として、前記第１のファイバーセンサーは、単層変形構造を含む。少しの実施形態として、前記第２のセンサーは、第２のファイバーセンサーである。少しの実施形態として、前記第２のセンサーは、圧力センサーである。少しの実施形態として、前記第１のファイバーセンサー又は第２のセンサーは、更にユーザの生命徴候を表示する信号を生成するように構成される。少しの実施形態として、前記生命徴候は、呼吸波形及び/又は心電波形（cardiac waveform）である。
【００１０】
選択可能に、少しの実施形態として、前記姿勢と生命徴候用モニターリングシステムは、第２の計算装置を含む。少しの実施形態として、前記第２の計算装置は、スマートフォン、ウェアラブル装置、タブレットピーシー、携帯式パソコン、ほかの携帯式計算装置、又はリモートサーバーを含む。
【００１１】
少しの実施形態として、第２の計算装置は、第１の計算装置に通信可能にカップリングされる。少しの実施形態として、第１の計算装置と第２の計算装置との間は無線通信である。少しの実施形態として、第２の計算装置は、第２のプロセッサーと、第２の指令セットが記憶されるメモリーとを含む。少しの実施形態として、第１の指令セットと第２の指令セットとの実施は、一つの実施方法を引き起こし、データを第１の計算装置から第２の計算装置に伝送し、ユーザの運動を表示する第１の信号とユーザの運動方向を表示する第２の信号とを結合してユーザの姿勢を確定し、ユーザの姿勢を変えるか否かをリコメンデーションすることを確定し、及びユーザの姿勢を変えることをリコメンデーションするであれば、第２の計算装置によってユーザに一つの動作をリコメンデーションすることを含む。少しの実施形態として、ユーザにリコメンデーションする動作は、立つ、歩く、姿勢を正す、及び/又はストレッチすることを含む。
【００１２】
他方、本発明はまた一つの姿勢用モニターリング、且つ選択可能に生命徴候用モニターリング方法を掲示する。複数の実施形態として、姿勢と生命徴候用モニターリングコンピュータ方法は、ユーザの運動を表示する第１の信号を受信し、ユーザの運動方向を表示する第２の信号を受信し、ユーザの運動を表示する第１の信号とユーザの運動方向を表示する第２の信号とを結合してユーザの姿勢を決定し、ユーザの姿勢を変えるか否かことをリコメンデーションすることを判断し、ユーザの姿勢を変えることをリコメンデーションするであれば、ユーザに一つの動作をリコメンデーションしており、姿勢を変える、ことを含む。
【００１３】
少しの実施形態として、第１の信号がクッション内の第１のファイバーセンサーで生成される。少しの実施形態として、第２の信号がクッション内の第２のセンサーで生成される。第２のセンサーは、他の一つのファイバーセンサー、圧力センサー、又は他の適合なセンサーが可能である。少しの実施形態として、ユーザにリコメンデーションする動作は、立つ、歩く、ストレッチする、及び/又は姿勢を正すことを含む。
【００１４】
少しの実施形態として、姿勢と生命徴候用モニターリングコンピュータ方法は、ユーザが脊椎の直立位置の方式で真っ直ぐに坐るか否かを認識し、又はユーザが身体前傾、後傾、左傾、右傾、猫背、及び/又は脊椎の直立位置しない他の位置で坐るか否かを認識することを含む。
【００１５】
少しの実施形態として、姿勢と生命徴候用モニターリングコンピュータ方法は、仮にユーザの姿勢を変えることをリコメンデーションし、第１の計算装置又は第２の計算装置に一つの警報を生成することを含む。
【００１６】
少しの実施形態として、姿勢と生命徴候用モニターリングコンピュータ方法は、ユーザの生命徴候を表示する付加信号を受信することを含む。少しの実施形態として、前記付加信号は、第１のファイバーセンサー又は第２のセンサーで生成する。少しの実施形態として、前記生命徴候は、呼吸波形及び/又は心電波形である。少しの実施形態として、姿勢と生命徴候用モニターリングコンピュータ方法は、少なくとも一部の心電波形の変異性の変化に基づいて、ユーザの圧力レベルを確定することを含む。少しの実施形態として、姿勢と生命徴候用モニターリングコンピュータ方法は、ユーザの生命徴候を変えるか否かをリコメンデーションすることを確定し、及びユーザの生命徴候を変えることをリコメンデーションするであれば、ユーザに一つの動作をリコメンデーションして生命徴候を変えることを更に含む。少しの実施形態として、ユーザにリコメンデーションする動作は、立つ、歩く、ストレッチする、及び/又は制御的に/意識的に呼吸することを含む。少しの実施形態として、姿勢と生命徴候用モニターリングコンピュータ方法は、ユーザの生命徴候を変えることをリコメンデーションするであれば、第１の計算装置又は第２の計算装置に一つの警告を生成することを含む。
【００１７】
少しの実施形態として、姿勢と生命徴候用モニターリングコンピュータ方法は、第１の信号、第２の信号、及び/又は付加信号に基づいて、ユーザの睡眠周期をモニターすることを更に含む。少しの実施形態として、姿勢と生命徴候用モニターリングコンピュータ方法は、一つのトリガー信号を生成してクッション内の振動機をトリガーすることを含む。少しの実施形態として、前記トリガー信号がユーザの適宜な睡眠周期階段に生成され、例えば、ユーザを覚醒する信号である。
【図面の簡単な説明】
【００１８】
【図１】図1は、姿勢と生命徴候用モニターリングシステムの一つの実施形態の概略図である。
【図２】図２は、一つの実施形態として、姿勢と生命徴候用モニターリングのオフィスチェアのクッションを示す斜視図である。
【図３Ａ】図３Ａは、一つの実施形態として、姿勢と生命徴候用モニターリングのクッションの外表面の頂部を示す斜視図である。
【図３Ｂ】図３Bは、図３Ａの実施形態において、クッションの外表面を示す左側面図である。
【図３Ｃ】図３Cは、図３Ａの実施形態において、クッションの内部構成を示す右側面図である。
【図３Ｄ−３Ｅ】図３Dと３Eは、それぞれ図３Aの実施形態において、クッションの内部構成を示す下面図及び上面図である。
【図３Ｆ】図３Fは、図３Aの実施形態において、クッションの内部各層を示す分解図である。
【図４】図４は、一つの実施形態として、姿勢と生命徴候用モニターリングのクッションを示す局部の断面図である。
【図５】図５は、一つの実施形態として、第１の計算装置又はクッション内の計算装置で姿勢と生命徴候用モニターリングとするブロック図である。
【図６】図６は、一つの実施形態として、第２の計算装置又は携帯式計算装置で姿勢と生命徴候用モニターリングとするブロック図である。
【図７Ａ−７Ｂ】図７Aと７Bは、一つの実施形態として、姿勢をモニターして正すためのグラフィカルユーザインターフェースの各種サンプルを示す図面である。
【図８Ａ−８Ｊ】図８A-８Jは、一つの実施形態として、スポーツ及び生命徴候をモニターするためのグラフィカルユーザインターフェースの各種サンプルを示す図面である。
【図９】図９は、一つの実施形態として、圧力をモニターして指導するグラフィカルユーザインターフェースである。
【図１０】図１０は、一つの実施形態として、姿勢と生命徴候用モニターリング方法を示すフローチャートである。
【図１１】図１１は、一つの実施形態として、ユーザの姿勢を確定するコンピュータの実施方法を示すフローチャートである。
【図１２】図１２は、一つの実施形態として、一種又は多種のモニターした生命徴候に基づいて、ユーザの眠りを介入する方法を示すフローチャートである。
【発明を実施するための形態】
【００１９】
後文に記載している本発明の実施形態は、本発明をこれらの具体的な実施形態に限定しないで、当業者が本発明を実施して利用することができるものであり、ここで、姿勢と生命徴候用モニターリングシステム及び方法を掲示する。
【００２０】
一般的に、姿勢と生命徴候用モニターリングシステムは、個人（即ち、ユーザ）が家で、オフィス（例えば、仕事時、待つ又は約束時）で、自動車で、スポーツマッチ（例えば、競技場、陸上競技場、コロシアム、公園、トレーニングルーム、山脈、スケート場、スタジアム、レース場など）、又はほかの何れかの場合で利用する。
【００２１】
少しの実施形態として、生命徴候は、ユーザの心拍数と、呼吸率と、体温と、血圧との一種又は多種を含む。生命徴候は、心電波形又/或いは呼吸波形を含む。
【００２２】
少しの実施形態として、姿勢は、ユーザの位置と、運動と、運動方向との一種又は多種を含む。例えば、ユーザの姿勢は、猫背（即ち、脊柱後弯）、脊柱側弯（scoliotic spine）、丸い肩（rounded shoulders）、平背（flatback）、スウェバック（swayback）（例えば、脊柱湾曲症）、身体前傾（leaning forward）、身体後傾（leaning backward）、身体左傾（leaning left）、身体右傾（leaning right）、真っ直ぐに坐って(sitting upright)、曲げ(twisting)、猫背、又は、何れかほかの健康な、脊柱直立位置を逸脱することを含むことが可能である。脊柱直立位置の特徴は、健康な脊椎が脊柱の三つの自然曲線の最優位置として、一つの頸椎（即ち頸）部が頸椎Ｃ１-Ｃ７を含み、胸（即ち中背）部が胸椎Ｔ５-T１２を含み、及び腰（下背）部が腰椎Ｌ１-Ｌ５を含む。一つの健康な背部の最も好ましい位置は、頸椎部が前彎、胸部が後彎、腰部が前彎である。
【００２３】
少しの実施形態として、姿勢と生命徴候用モニターリングシステムは、ユーザの身体素質例えば、ユーザの総重量や、重量分布や、又は、体格指数（BMI）をモニターすることを含む。少しの実施形態として、姿勢と生命徴候用モニターリングシステムは、ユーザの圧力水平、心拍数の変異性及び/又は呼吸率の変化を確定してモニターすることを含む。
【００２４】
少しの実施形態として、平均、最小、最大、健康及び/又は不健康な生命徴候及び/又は姿勢は、システムがユーザの一定期間をモニターして確定するものである。例えば、ユーザの一定期間（例えば、時、日、週など）をモニターすることによって、システムは、ユーザを補正してユーザの心電と呼吸率波形及び姿勢の正常変異性を確定し、及び正常を逸脱する変化を検知することができる。又は、前記システムは、ユーザの心電と呼吸率波形と及び姿勢とをユーザの同じ年齢組、性別、種族、社会階層、作業環境、位置、及び/又は何れか他の近似する群体と比較しており、正常又は健康標準との偏差を確定する。
システムとデバイス
【００２５】
図１において、姿勢と生命徴候用モニターリングシステム２の一つの実施形態を掲示する。システム２は、クッション４と、クッション４の内に位置する第１の計算装置と、及び第２の計算装置６とを含む。クッション４は、第１のファイバーセンサーと第２のセンサーを含む。第２の計算装置６は、第１の計算装置に通信可能にカップリングされる（例えば、ブルートゥース(登録商標)、低エネルギーブルートゥース、ほかの無線周波など）。少しの実施形態として、クッション内の第１の計算装置は、第２の計算装置との間を相互通信にする。システム２は、ユーザの姿勢及び/又は生命徴候を測定し、ユーザが姿勢及び/又は生命徴候を調整することができる。少しの実施形態として、姿勢と生命徴候用モニターリングシステム２は、更にリモート計算装置７（例えば、サーバー）を含む。第１の計算装置及び/又は第２の計算装置は、当該リモートサーバーとの間に相互通信機能（例えば、Wi-Fi、CDMA、ほかのセルラープロトコル、ほかの無線周波、ほかの無線通信プロトコル）を有する。リモートサーバーは、第１の計算装置及び/又は第２の計算装置がファイバーセンサー及び/又は第２のセンサーから得られる一種又は多種の信号を受信・記憶・及び/又は分析することができる。
【００２６】
姿勢と生命徴候用モニターリングシステム２のほかの実施形態において、クッション４を含む。クッション４は、ユーザの姿勢及び/又は生命徴候を検知するための二つ以上のセンサーと、及び第１の計算装置とを覆うことができる。少しの実施形態として、当該クッションは、椅子、座席、睡眠ポッド、マットレス、及び/又はソファーの一部分に形成される。少しの実施形態として、図２に示す実施形態ようなのクッションは、携帯式シートクッションであり、椅子（例えば、オフィス又は家などで）、スタンド、自動車用シート、飛行機シート、及び/又はほかの従来のシートの構造に放置できる。少しの実施形態として、クッションは、オフィス椅子、ソファー、自動車用シート、飛行機シート、及び/又は睡眠ポッド、マットレス、又はほかの構造の内部に集積される。少しの実施形態として、当該システムは、複数のクッションを含み、例えば、一つのバックレスト、二つのアームレスト、一つのシート、一つのレッグレスト（例えば、長椅子(ottoman)、リクライナー（recliner）など）からの二つ以上である。
【００２７】
少しの実施形態として、例えば、図１-図２に示すように、前記クッションは、一つ以上のユーザ入力ユニット３１を含み、例えば、クッションの外表面に設置される。例えば、クッションは、クッション内部の計算装置の電源をスイッチオン又はスイッチオフにするため、又は無線通信モジュール３０、振動モジュール、及び/又はシステムのほかの機能又はモジュールの設置を調節するための一つ以上のボタン、スライダー、又は、スイッチを含む。少しの実施形態として、ユーザ入力ユニットは、システムをリセットするためのボタン、スライダー、又は、スイッチを含むことが可能であり、例えば、出荷時の設定又は以前のユーザ設定に回復する。
【００２８】
少しの実施形態として、例えば、図２と図３A-３Fに示す実施形態ようなのクッションにおいて、クッション４の形状、輪郭又は溝の設置は、ユーザがクッションに坐る又は使用する快適度を高めるためである。例えば、クッションは、後側厚さT１及び前側厚さT２を含むことができる。一つの実施形態として、T１はT２より大きい。ほかの一つの実施形態として、T２はT１より大きい。又は一つの実施形態として、T１はT２と同じである。少しの実施形態として、例えば、図３Aに示すように、クッション４の後側部８aは、実質的に直角の辺を含み、クッション４の前側部８ｂは、実質的に面丸めの辺（rounded edges）を含む。選択可能に、少しの実施形態として、クッション４は、クッション４の後側部８aと前側部８ｂの両者は、実質的に全て直角の辺を含むことができる。クッション４の後側部８aと前側部８ｂの両者は、実質的に全て丸めの辺を含むことができる。又は、後側部８aは丸めの辺を含み、前側部８ｂは直角の辺を含むことができる。
【００２９】
少しの実施形態として、図３Aに示すように、クッション４の前側部８ｂは、一つ以上のくぼみ区域（dimpled region）５を含み、一つの実施形態として、クッション４の前側部は、二つのくぼみ区域５を含む。少しの実施形態として、二つ以上のくぼみ区域の間の中間区域９は上方に高くなっており、ユーザの大腿区域又は臀部区域をクッション４の各くぼみ区域５に位置決めし又は位置し、例えば、ユーザは、クッション４に坐る時に、ユーザの快適度を改善し及び/又は適合的な位置決めをすることができる。
【００３０】
少しの実施形態として、クッション４は、クッション外表面の材質を含む。前記材質は、棉、麻、ポリエステル、人造絹絲、牛仔布、ベルベット、コーデュロイ、絹、羊毛、皮革、ポリ塩化ビニール（即ちビニール樹脂）、アーチフィシャルレザー（例えば、ポロメリック、コルファム、コスキン（Koskin）、レザーレットなど）、シュエード（suede）又はマイクロシュエード（microsuede）、又はほかの材質である。少しの実施形態として、前記材質は、ウオッシャブル、ステインレジスタント、ファイアレジスタント（例えば、難燃剤）、耐候性（例えば、日焼け止め）、防皺性、及び/又は耐水性を具備する。少しの実施形態として、前記材質は、通気可能で空気がクッションに流入されることができ、クッション内部の一つ以上のセンサー、電子部品及び/又は計算装置を過熱させないようにする。
【００３１】
少しの実施形態として、図３C-３Fに示すように、クッションは、複数の内部層を含む。これらの実施形態において、クッションの頂部層及び/又は底部層１１は、記憶発泡材料（即ち、粘弾性ポリウレタン発泡体）、天然乳液発泡体、羊毛、綿、又は、クッションに変形可能で、粘着、柔らかい、及び/又は支持作用の構造を提供できる何れかほかの材料を含み、例えば、ユーザを快適にさせ且つユーザを支持する。少しの実施形態として、一つ又は複数の快適及び/又は支持作用の層は、クッションに加える作用力を伝達可能に設置されており、クッション内に設置される一つ又は複数のセンサーによって、クッション表面に加える圧力を検知することができる。更に、これらの実施形態において、第２の層１３は、一つ又は複数のセンサーを含み、例えば、圧力センサー１２であり、及び第３の層１５は、一つ又は複数のセンサーを含み、例えば、ファイバーセンサー10である。少しの実施形態として、第２の層１３は、一つ又は複数のファイバーセンサー１０を含み、第３の層１５は、一つ又は複数の圧力センサー１２を含む。ほかの実施形態において、二つの層又は複数の層にファイバーセンサーが設けられる。ほかの実施形態において、一つ又は複数の圧力センサーと、一つ又は複数のファイバーセンサーとが同時に同じの単層の内部に又は上面に配置される。
【００３２】
少しの実施形態として、図３D-３Fに示すように、クッション４は、複数のセンサー（例えば、２、３、４、５、６、７、８、９、１０など）を含み、一つ又は複数の生命徴候及び姿勢を検知するためである。一つの実施形態として、クッションは、二つのセンサーを含む。少しの実施形態として、当該一つ又は複数のセンサーは、電磁センサー、圧電センサー、ジャイロセンサー、リニアエンコーダ、光電センサー、圧力センサー、ファイバーセンサー、ほかの種類のセンサー、又は、前記のセンサーの組み合わせである。 
【００３３】
少しの実施形態として、一つ又は複数の第１のセンサー１０は、ファイバーセンサーであり、一つ又は複数の第２のセンサー１２は、圧力センサーである。選択可能に、これらの実施形態において、第１のセンサーと第２のセンサーは、全てファイバーセンサー可能である。少しの実施形態において、第１のファイバーセンサーは、ユーザの作用力を表示する第１の信号を生成するように設置され、第２のセンサー（例えば、圧力センサー、ファイバーセンサーなど）は、ユーザの運動方向を表示する第２の信号を生成するように設置され、従って、第１の信号と第２の信号を結合する場合に、ユーザの姿勢を表示する。
【００３４】
姿勢の確定は、ある程度に、骨盤の傾斜によって確定する。個人の骨盤の傾斜又は回転は、脊椎の腰部、胸椎及び/又は頸部の曲率の変化を招く。同様に、脊椎の腰部、胸椎及び/又は頸部の曲率の変化は、骨盤の傾斜又は回転を招く。例えば、前傾の位置が骨盤を回転してから（即ち、前傾の姿勢）、腰部の曲率の増加を招く。骨盤を前に回転してから、背部が凹みの姿勢を招く（即ち、脊椎前弯）。猫背は、骨盤を後傾の位置（即ち、後傾の位置）に回転することを招く。人が一つの表面に坐る場合に、骨盤の回転又は傾斜の変化は、当該表面の圧力と作用力の分布が変化することを招く。従って、少しの実施形態として、姿勢の確定は、複数のファイバーセンサー及び/又は圧力センサーの組み合わせを利用することによってされ、クッションに加える圧力、作用力、及び/又は圧力或いは作用力の変化を検知している。
【００３５】
又は、少しの実施形態として、第１のファイバーセンサーは、十分な感度を有し、ユーザのマクロとマイクロの運動（即ち、作用力の相応大きいと相応小さい変化）を検知しており、第１のファイバーセンサーで生成する信号がユーザの呼吸、心拍及び/又は一種又は多種のほかの生命機能を付加可能で表示する。
【００３６】
少しの実施形態として、少なくとも一つのファイバーセンサー１０を含み、例えば、図３Fに示すように、ファイバーセンサー１０は、一つのファイバーで形成される。当該ファイバーの第１の端部が光源（例えば、LED、OLED、白熱灯など）とカップリングされ、第２の端部が光信号受信器とカップリングされる。少しの実施形態として、図３Fに示すように、光源と光信号受信器とが、プリント基板及び/又はクッション内計算装置１４にカップリングされ、又は集積される。光源は、当該ファイバーの内に一つの光波を送信する。ファイバーセンサー１０は、このような位置決めが、クッション表面に作用力を加えることで、ファイバーが変形又は略湾曲を発生し、そして、光波がファイバー内に伝達することに影響する。光信号受信器は、光波伝達の変化を検知するように配置される。光波伝達の変化が、第１の計算装置及び/又は第２の計算装置で処理して分析しており、ユーザの位置及び/又は生命徴候を確定する。例えば、体重、心拍、呼吸及び/又は肢体の運動で生成する外力を有する場合に、当該作用力が、ファイバー及び変形構造に分布される。これらの力によってファイバーを略湾曲させ、当該略湾曲効果により重要な光損失を招いて、少しの残留の光波がファイバーに沿って伝達する。光信号受信器は、残留の光波を受信する。残留の光波が処理される後に、作用力の変化を確定することができ、従って、ユーザの体重、心拍、呼吸及び/又は肢体の運動/位置を確定することができる。
【００３７】
少しの実施形態として、ファイバーセンサーは、単一又は二重の変形構造を含む。図４に示すような実施形態のクッションは、一つのファイバーセンサーを設置し、ファイバーセンサーが単層変形構造を設置する。単層変形構造１８は、単純的に体重によって光損失を招く場合について、生命徴候及び姿勢に対して最高の感度を具備することに配置されることができ、二層変形構造は、予定の作用力によって光損失を招く場合について、最高の感度を具備することに配置されることができる。単層変形構造１８は、絶対的な作用力を平衡し、当該絶対的な作用力が例えば体重からなり、しかし、体重が比較的小さい力の変化を有し、例えば、心拍、呼吸、及び小さい姿勢の変化によってこれらの比較的小さい力を招く。変形構造１８は、メッシュ（例えば、織りの単繊条、電線、スレッド、リボン、又はその類似物）で形成される。単層変形構造１８を用いており、高ノイズの背景から肢体の運動によって招いた弱い心拍動態信号と呼吸波形とを抽出している。単層変形構造１８は、ファイバー２０の略湾を収集し、且つ心電と呼吸波形及び身体運動の感度を向上することができる。図４に示すように、矢印２２で表示された外力（例えば、体重、心拍、呼吸率、運動など）がクッション及びクッション内のファイバー２０に加わる場合に、力が全体の上蓋２４及びファイバー２０に分布され、ファイバーの中心に集中されない。一つの実施形態において、一つの重合体オープンメッシュ織物で単層変形構造とし、一つの平織物が一つのマルチモードファイバーの頂部に設置されており、センサーに加えた何れかの力を均一に分配している。又は、少しの実施形態として、ファイバーセンサーは、変形構造１８を含まない。
【００３８】
少しの実施形態として、姿勢及び/又は生命徴候用モニターリングシステムは、一つ又は複数の第２のセンサー１２を含み、例えば、一つ又は複数の圧力センサーである。第２のセンサーは、ファイバーセンサー１０と結合され、従ってユーザの姿勢を確定している。図３D-３Fに示すように、複数の第２のセンサーは、例えば、六つの圧力センサーが設置されている。少しの実施形態として、六つ以下（例えば、５、４、３、２、１）の圧力センサーが設置され、又は、六つ以上（例えば、７、８、９、１０、１１、１２など）の圧力センサーが設置されておりユーザの運動方向を検知するためである。少しの実施形態として、圧力センサー12は、絶対圧力センサー、ゲージ圧センサー、真空圧力センサー、差圧センサー、又は密封式圧力センサーである。少しの実施形態として、圧力センサーは、圧力感知抵抗を含む。少しの実施形態として、圧力センサーの検知範囲は、２０Kg〜１５０Kg、又はほかの何れかの区域範囲である。例えば、少しの実施形態として、圧力センサーの検知範囲は、２０Kg〜３０Kg、３０Kg〜４０Kg、４０Kg〜５０Kg、５０Kg〜６０Kg、６０Kg〜７０Kg、７０Kg〜８０Kg、８０Kg〜９０Kg、９０Kg〜１００Kg、１００Kg〜１１０Kg、１１０Kg〜１２０Kg、１２０Kg〜１３０Kg、１３０Kg〜１４０Kg、又は、１４０ Kg〜１５０Kgである。一つの実施形態として、圧力センサーの検知範囲は、４０Kgから１００Kgに至る範囲である。
【００３９】
少しの実施形態として、一つ又は複数の圧力センサーは、一定のモードでクッション４の内層に設置されている。一つの実施形態において、当該モードは、一つの実質的に六辺形のパターンを含み、例えば、図３D-３Fに示すようである。ほかの一つの実施形態において、当該モードは、一つの正方形又は長方形のパターンを含む。例えば、当該実施形態において、第１の組の三つの圧力センサーは、実質的に第２の組の三つの圧力センサーと平行にし、両者は実質的に第３の組の三つの圧力センサーと平行にする。又は、一つ又は複数の圧力センサーは、一つの正方形或いは長方形のパターンが一つのクッションの内層の周縁に設置されることができる。ほかの実施形態において、当該モードは、一つの実質的に円形を含み、例えば、一つの円形の円周を規定する。
【００４０】
少しの実施形態として、図１に示すように、姿勢及び/又は生命徴候用モニターリングシステム２は、少なくとも第１の計算装置と第２の計算装置を含む。第１の計算装置は、クッション４の内部に設けられ、且つここでクッション内計算装置（例えば、図３D-３Fに示すようなクッション内計算装置１４）と呼ばれる。第２の計算装置６は、ここで携帯式計算装置と呼ばれ、スマートフォン、ウェアラブル装置（例えば、腕時計、腕輪、頭巾、ネックレスなど）、タブレットピーシー、携帯式パソコン、又はほかの携帯式計算装置を含むことができる。少しの実施形態として、ここで携帯式計算装置と呼ばれるものの、第２の計算装置６は、リモートサーバーとすることが可能である。ほかの実施形態において、前記システムは、更に第３の計算装置７を含む。これらの実施形態において、第３の計算装置は、ここでリモート計算装置と呼ばれ、Webサーバー、アプリケーションサーバー、データベースサーバー、及び/又はほかの適合な計算装置とすることが可能である。
【００４１】
各実施形態において、クッション内計算装置と携帯式計算装置との間、クッション内計算装置とリモート計算装置との間、及び/又は携帯式計算装置とリモート計算装置との間は、単方向又は双方向通信が設置されている。当該システムの二つ又はより多くの計算装置は、ブルートゥース、Wi-Fi、CDMA、ほかのセルラープロトコル、ほかの無線周波、又はほかの無線通信プロトコルなどによって無線通信を行うことができる。
【００４２】
少しの実施形態として、クッション内計算装置（クッション４の内部で）、携帯式計算装置６、リモート計算装置７は、それぞれマイクロコントローラようなのプロセッサーと、及び指令を格納したメモリーを含む。プロセッサーは、システムの操作指令を実施する。システムの操作指令は、一つ又は複数のセンサーの一つ又は複数の信号を受信し、これらの信号を処理し、及び処理した信号によってユーザの姿勢及び/又は生命徴候を確定することを含むことが可能である。
【００４３】
少しの実施形態として、クッション内計算装置と携帯式計算装置は、それぞれ一つのプロセッサーを含み、そのプロセッサーがプリント基板（PCB）に嵌入され且つ一つ又は複数のシステム要素（例えば、電源モジュール、ユーザ入力ユニット、光モジュール、振動モジュール、ファイバーセンサー、第２のセンサーなど）に通信可能にカップリングされている。少しの実施形態として、プロセッサーは、低エネルギーマイクロコントローラである。
【００４４】
図５は、一つのクッション内計算装置２８の例を提供し、そのクッション内計算装置２８は、図1に示すようなクッション４の内に設けられることができる。図６は、携帯式計算装置２９の例を提供している。当業者は、前記構成要素が機能要素であることが分かり、各種の機能要素が一つ又は複数の機能要素内に嵌入されることができる。例えば、クッション内計算装置２８の機能要素は、図３D-３Fに示すようなクッション４内部のPCB/計算装置ユニット１４、電源モジュール２１、振動モジュール１９の内に嵌入されている。
【００４５】
少しの実施形態として、図５と図６に示すように、クッション内計算装置２８と携帯式計算装置２９は、それぞれ電源モジュールを含み、又は当該電源モジュールにカップリングされている。電源モジュールは、一つ又は複数のシステム要素に電力を提供するためであり、そして、一つ又は複数のシステム要素を運転させることができる。少しの実施形態として、電源モジュールは、一つの内部電源を含み、例えば、電池（例えば、二次電池、又は一次電池など）、一つの感応電池、動勢力充電器、及び/又は一つ又は複数の太陽電池パネルを含む。これらの実施形態において、クッション内計算装置２８は、外部電源によって給電することができ、又は当該内部電源が充電することができ、例えば、紫外光、ユーザの運動又は電磁界によって充電する。少しの実施形態として、クッション内計算装置２８及び/又は携帯式計算装置２９は、電源モジュールを外部電源にカップリングすることにより充電でき、例えば、一つの電源線（例えば、IEEE １３９４、ユニバーサルシリアルバス（USB）、サンダーボルト（Thunderbolt）、ライチング（Lightning）、イーサネット（Ethernet）（登録商標）など）で脱着可能に電源モジュールのインタフェースに挿入されることができる。少しの実施形態として、図３Aと図３Bに示すように、クッション内計算装置２８と携帯式計算装置２９は、それぞれ一つの無線伝送とデータ受信用のアンテナを含む。前記アンテナは、例えば、一つのアンテナはWi-Fi、CDMA、ほかのセルラープロトコル、ほかの無線周波、ほかの無線通信プロトコルの方式によって、他のパソコンとデータを伝送するように設置される。各実施形態において、複数のアンテナは、クッション内計算装置２８、携帯式計算装置２９、及び選択可能なリモート計算装置との間に通信させることができる。
【００４６】
少しの実施形態として、図５に示すように、クッション内計算装置２８は、一つ又は複数のユーザ入力ユニットを含む。少しの実施形態として、一つ又は複数のユーザ入力ユニットは、クッションの外表面に設置され、又はクッションの内部に設置され且つクッション内部に入る又は除くだけで使用することができる。例えば、クッション内計算装置２８は、一つ又は複数のボタン、スライダー、又は複数のスイッチを含み、従って一つ又は複数のシステム要素、一つ又は複数のシステム要素の無線通信３０（例えば、ブルートゥース、低エネルギーブルートゥース、ほかの無線周波技術などのデータ伝送）、振動モジュール（例えば、ユーザを眠りから起こす）、及び/又は前記システムの何れかの機能又はモジュールの開/閉電源操作を行っている。少しの実施形態として、ユーザ入力ユニットは、ボタン、スライダー、又は複数のスイッチを含むことが可能であり、前記システムを回復し、例えば、出荷時の設定又は以前のユーザの設定に回復する。
【００４７】
少しの実施形態として、図６に示すように、携帯式計算装置２９は、一つ又は複数のユーザ入力ユニットを含む。例えば、携帯式計算装置は、携帯式計算装置の外表面又はグラフィカルユーザインターフェース（a graphical user interface, GUI）に設置された一つ又は複数の手動及び/又は仮想ボタン、スライダー、又はスイッチを含むことが可能である。前記一つ又は複数のユーザ入力ユニットは、一つ又は複数のシステム要素、一つ又は複数のシステム要素の無線通信３０（例えば、ブルートゥース、低エネルギーブルートゥース、ほかの無線周波技術などのデータ伝送）、振動モジュール（例えば、ユーザを眠りから起こす）などのクッション内計算装置、及び/又は前記システムの何れかの機能又はモジュールの開/閉電源操作を行っている。少しの実施形態として、ユーザ入力ユニットは、ボタン、スライダー、又は複数のスイッチを含むことが可能であり、前記システムを回復し、例えば、出荷時の設定又は以前のユーザ設定に回復する。少しの実施形態として、ユーザ入力ユニットは、携帯式計算装置の異なるグラフィカルユーザインターフェース（GUIs）の間に切替え、又はソフトウェアの異なる機能をアクセスすることに用いられる。
【００４８】
少しの実施形態として、図５に示すように、クッション内計算装置２８は、一つの光モジュールを含み、前記光モジュールが、クッションの外部から見える一つ又は複数の光源（例えば、LED、OLED、白熱灯など）を含み、例えば、クッション内計算装置及び/又はクッション内のほかの電子部品の電気的に接続状態及び/又は電源状態を表示することを提供する。少しの実施形態として、赤色、橙色、又は黄色の光は、異なる程度の低電量電池/電源を表示し、緑色光が、良好な電池電源及び/又は満充電状態を表示し、且つ、青色光が、一つ又は複数のほかのシステム要素の無線接続（例えば、ブルートゥース、低エネルギーブルートゥース、ほかの無線周波技術など）を表示する。少しの実施形態として、ユーザ入力ユニット３１は、光モジュールを含み、光モジュールに近接し、又は光モジュールに囲まれることができる。これらの実施形態において、指示灯は、オン状態で発光し、例えば、緑色光を発射する。少しの実施形態として、オフ状態で、指示灯は、発光しなく又は異なる色の光を発射し、例えば、赤色である。
【００４９】
少しの実施形態として、図３Aに示すように、クッション内計算装置２８は、振動モジュール（振動モジュールが、クッション内計算装置のほかの要素に離れて、カップリング可能であり、例えば、図３Dと図３Fに示すような振動モジュール１９の状態と同じ）を含む。振動モジュールは、ユーザを眠りから覚まし、例えば、睡眠周期の適当な階段（例えば、急速眼球運動睡眠REM、非急速眼球運動睡眠non-REM）である。又は、振動モジュールは、ユーザをマッサージすることができ、例えば、ユーザの心拍数、呼吸率、圧力水平が予め定められた又は予め定義された閾値に到達する場合に、ユーザを緩めることを実現する。更に、少しの実施形態として、振動モジュールは、一つの触覚警報にして、ユーザに注意を与える、例えば、猫背、長い時間で坐って、又は圧力を表示する生命徴候が変化を発生する場合に、ユーザを立つ又は真っ直ぐに坐る注意を与える。少しの実施形態として、振動モジュールは、一つのエクセントリックローテーティングモーター（ERM）を含む。例えば、一つの直流モーターは、一つの重心ずれの歯車を駆動する。直流モーターによってこれらの重量を有した歯車を回転するように駆動しており、振動を招く。少しの実施形態として、振動モジュールは、一つの線形共振作動器（LRA）を含む。例えば、ボイスコイル（voice coil）で磁界を発生し、ボイスコイルは、磁石と、及びスプリングに掛けている重荷との間に相互作用している。磁界が加えた駆動信号に伴って変化するために、磁石は、重荷とスプリングとの間に相互作用する場合、上向き又は下向きに加速されており、振動を発生している。
【００５０】
少しの実施形態として、図５と図６に示すように、クッション内計算装置２８及び/又は携帯式計算装置２９は、プログラムポート（program port）を含む。プログラムポートは、一つ又は複数のプログラムを受信して前記システムを操作するためであり、例えば、一つのポートによる（例えば、IEEE 139４、ユニバーサルシリアルバス（USB）、サンダーボルト（Thunderbolt）、Mini Display、DVI、HDMI、シリアル（Serial）、パラレル（Parallel）、イーサネット（Ethernet）、同軸（Coaxial）、VGA、又は、PS/2）。少しの実施形態として、一つのプログラムが含まれた指令は、一つ又は複数のセンサー信号に基づいて一つの生命徴候及び/又は姿勢を確定し、警報を作成し、警報の頻度、タイプ、及び/又はトリガー条件（例えば、ユーザの一つの生命徴候及び/又は姿勢を正す）などの指令を含み、リコメンデーション（recommendation）を作成し、リコメンデーションの頻度、タイプ、及び/又はトリガー条件（例えば、ユーザの一つの生命徴候及び/又は姿勢を正す）などの指令を含み、又は前記システムに関わる工率、振動モジュールの状態、光モジュールの状態、又は前記システムのほかの操作機能を有している。
【００５１】
少しの実施形態として、図５と図６に示すように、クッション内計算装置２８及び/又は携帯式計算装置２９は、更に、低圧差レギュレーター（LDO）を含む。LDO低圧差レギュレーターは、直流電線形レギュレーターであり、電源電圧が出力電圧に非常に接近する場合としても、出力電圧を調節するためである。更に、少しの実施形態として、前記システムは、異なるタイプのDC-to-DCレギュレーター又はAC-to-DCレギュレーターを含む。
【００５２】
少しの実施形態として、図５に示すように、クッション内計算装置２８は、一つ又は複数のアナログデジタル変換器（ADC）を含み、センサーが検知したアナログ信号をクッション内計算装置及び/又は携帯式計算装置によって処理及び分析をするデジタル信号に変換している。
【００５３】
少しの実施形態として、図６に示すように、携帯式計算装置２９は、更に加速度計を含む。前記携帯式計算装置内の加速度計は、ユーザが立つか否か、歩くか否か、及び/又は移動か否かを確定することに用いられている。少しの実施形態として、二つ又はより多くの加速度計は、携帯式計算装置の内に用いられてユーザのステップ頻度又は速度を確定し、例えば、ユーザが歩く場合である。又は、一つの機械又は電子歩数計を使用してユーザのステップ頻度又は速度を確定する。又は、携帯式計算装置は、一つのジャイロスコープ（gyroscope）を設置してユーザの運動を検知するためである。
【００５４】
少しの実施形態として、図７A-９に示すように、携帯式計算装置は、一つ又は複数のグラフィカルユーザインターフェース（GUIs）を含む。携帯式計算装置の一つのGUIは、ユーザが特定時間及び/又は一定期間（例えば、時、日、週、月、年など）における一つ又は複数の生命徴候及び/又は姿勢を追跡し、ユーザに一つのリコメンデーション（例えば、姿勢又は生命徴候などを修正することを建議する）を提供し、及び/又は不健康な姿勢及び/又は生命徴候（例えば、心拍数が上昇し、呼吸率が上昇し、心拍数変異性の変化、又はユーザの位置が前傾、後傾、左傾、右傾、猫背など）をユーザに警報することに用いられている。少しの実施形態として、一つ又は複数のGUIsは、一つのメニューバーを含むことができ、例えば、一つ又は複数のGUIスクリーン又はページの間に切り換え、一つ又は複数のユーザ設定を調節し、一つ又は複数のプログラム設定を変更し、システムから提供された通知のタイプ又は時間を調整し、及び/又はシステムのほかのパラメータを変えることに用いられている。
【００５５】
一つの実施形態において、図７Ａ-７Ｂに示すように、クッション内計算装置及び/又は携帯式計算装置の一つのGUIは、ユーザの一つの位置、運動及び/又は姿勢の一つのカートウーン（cartoon）、アイコン（icon）、又はアバター（avatar）３２を表示し、及びクッション３３に一つ又は複数のセンサー３４のカートウーン又はアイコン、前記カートウーン又はアイコンが実体クッション４の相応した位置の圧力を表明して及び表示する。各々の実施形態において、GUIに表示した情報がリアルタイム又は実質的にリアルタイムであり、このように、GUIは、デジタルで表示したユーザの目前の位置を提供し、クッション３３の一つ又は複数のセンサーとの検知と同じである。少しの実施形態として、前記GUIは、ユーザがクッション３３内部の全てのセンサー３４に均一で圧力を加えることを奨励することが可能であり、例えば、圧力が不均一場合に、どちらのセンサーがちょうど検知圧力を受信しなくて、どちらのセンサーがちょうど検知圧力を受信することが、一つの通知及び/又は指示によって表示している。これらの実施形態において、前記GUIは、各センサーに加えた力の相対値の度量を表示するように設置されている。例えば、少しの実施形態として、前記GUI上のセンサーは、一つの暗い色又は色調を含んで、比較的大きい圧力を表示し、及び一つのより軽い色又は色調を含んで、比較的小さい圧力を表示する。少しの実施形態として、圧力が多すぎ又は少なすぎ場合に、GUI上のセンサーは、ブリンク又はフラッシュにする。少しの実施形態として、ユーザが不正確な又は不健康な姿勢（例えば、身体が前傾、後傾、左傾、右傾、曲げ、猫背など）を有する場合に、前記GUIは、黄色とすることが可能であり、そして、ユーザが正確な適合な姿勢（例えば、直立な位置で真っ直ぐに坐って）を有する場合に、前記GUIは、緑色とすることが可能である。
【００５６】
少しの実施形態として、図８Ａ-８Ｊに示すように、一つ又は複数のGUIsは、一つの表示手段３６を含んで、ユーザの心拍数、呼吸率、圧力レベル、及び/又は運動レベルを表示する。図８Ａ-８Ｃに示すように、前記GUIは、ユーザが坐る（図８Ａ）、立つ（図８Ｂ）、及び/又は歩く（図８Ｃ）場合にユーザの心拍数、圧力レベル、及び呼吸率を含む。更に、前記GUIは、一つのユーザがちょうど行っている活動を表示するカートウーン、アイコン、又はアバター３８を含み、及びユーザが特定位置又は活動に経った時間進度および/又は時間長さ（例えば、秒、分、時など）を表示する一つのプログレス指示器（例えば、バー（bar）又は円など）４０を含む。少しの実施形態として、プログレス指示器４０は、ユーザが推薦された又は切り替え許可された活動の前の活動の余剰時間のカウントダウン（countdown）を提供している。少しの実施形態として、一つ又は複数のGUIsは、更に警報要素３９を含む。警報要素３９は、ユーザを指示し、携帯式計算装置が一つの活動（例えば、坐るから立つになり、立つから歩くになり、歩くから坐るになる）をリコメンデーションして又は推薦しており、前のカウントダウンを変える。例えば、携帯式計算装置は、ユーザに一つの聴覚、触覚、又は視覚を送り出す可能であり、活動の変更を表明することが推薦されている。少しの実施形態として、ユーザが携帯式計算装置にGUIを開かないとしても、携帯式計算装置を応用してユーザに警報及びほかの通知を送り出している。
【００５７】
少しの実施形態として、図８Ｄ-８Ｆに示すように、一つ又は複数のGUIsは、ユーザが規定する時間（例えば、時、日、週など）に完成した各の活動（例えば、坐る（図８D）、立つ（図８Ｅ）、移動する、歩く（図８Ｆ）など）の総合的な又は平均的な持続の時間（例えば、秒、分、時など）４２を表示することができる。例えば、活動の平均的な持続時間は、GUIに形状で表現することができ、従って、その大小、色、配置（例えば、円形、正方形、三角形、長方形、菱形など）、又は形状のほかの何れかのパラメータが、ほかの活動の持続時間と比較する場合、一種の活動の相対持続時間を表示している。例えば、一つの比較的大きな形状が、長い時間を表明することが可能であり、比較的小さな形状が、より短い時間を表明することが可能である。少しの実施形態として、異なる色の形状で各追従する活動を表現し、例えば、赤色の形状が、坐ることを表示することが可能であり、橙色が、移動を表示することが可能であり、緑色が立つことを表示することが可能であり、青色が歩くことを表示することが可能である。少しの実施形態として、図８Ｄ-８Ｆに示すように、前記GUIは、ユーザ活動の一つの図形標記（例えば、線図、パイチャート、柱状図、罫線、ピクトグラフ、バーグラフなど）４４を含む。例えば、ｘ-軸が毎日の時間（例えば、９：００AM、１２：００PM、３：００PM、５：００PMなど）を表示することができ、ｙ-軸が一つの活動の持続時間を表示することができる。又は、ｘ-軸が活動のタイプを表示することができ、ｙ-軸が一つの活動の持続時間を表示することができる。更に、少しの実施形態として、異なる活動は、異なる色、形状、線型（例えば、点線（dotted）、セグメント（segmented）、実線（solid）など）で、又はほかの特徴で同一の図形に制作して表示する。
【００５８】
少しの実施形態として、図８Ｇ、８Ｉ、と８Ｊに示すように、一つ又は複数のGUIsは、一定期間（例えば、分、時、日、週など）後ユーザの一つ又は複数の心電及び/又は呼吸波形４６を表示している。例えば、図５Ｇ、６A、と６Bに示すように、平均心拍数又は呼吸率４８（例えば、毎時、毎日、毎週などの平均値）は、規定する期間に心電又は呼吸波形に基づいて確定して・表現する。少しの実施形態として、図８Ｇに示すように、一つ又は複数のGUIsは、図形標記（例えば、線図、パイチャート、柱状図、罫線、ピクトグラフ、バーグラフなど）５０を含み、心電及び/又は呼吸波形に基づいて、ユーザの平均心拍数及び/又は呼吸率、又は時間に伴ってユーザの心拍数及び/又は呼吸率を表示し、例えば、ユーザの心拍数及び/又は呼吸率が一定期間に伴って、又は一定期間にユーザの平均心拍数及び/又は呼吸率の変動（例えば、最大、最小、経時変化など）を表示している。
【００５９】
更に、少しの実施形態として、図８Ｈに示すように、一つ又は複数のGUIsは、ユーザの目標又は目的を表示した一つの目標図を含む。例えば、前記GUIは、ユーザの運動の期待値（例えば、時間、頻度、数量）５２及びユーザの運動した実際値５４を表示することができる。少しの実施形態として、前記GUIは、パイチャート５６又は時間軸（timeline）５８によって逃した運動時間、及び/又は逃した運動総時間を指示しており、情報を表示している。
【００６０】
一つの実施形態において、図９に示すように、前記GUIは、ユーザの圧力レベルを表示し、及びユーザを引導して圧力レベルを低下することができる。少しの実施形態として、圧力レベルがユーザの心拍数及び/又は呼吸率を、既に観察した/測定したユーザの最小、平均、及び最大の心拍数及び/又は呼吸率と比較するように決定する。又は、少しの実施形態として、ユーザの心拍数及び/又は呼吸率の変異性の増加によってユーザの圧力レベルを検知する。ユーザについてのリコメンデーションは、GUIに表示することができ、ユーザが呼吸を緩め、増大/深呼吸、冥想、マッサージサービスを接触し、一つのヨガ（yoga）又は冥想クラス、又はほかの何れかの推薦を勧奨しており、ユーザの圧力を下げる。少しの実施形態として、前記GUIは、ユーザが彼/彼女の減少した圧力に対しての進展を表示することができ、例えば、プログレス指示器６０及び/又は初期観察/測定に相応する圧力百分率を利用する。
【００６１】
少しの実施形態として、一つ又は複数の社会的ネットワーク（例えば、Facebook（登録商標），Twitter（登録商標），Linkedln（登録商標），Instagram（登録商標）など）によって、又は、クッション内計算装置及び/又は携帯式計算装置を利用してEメール又はメッセージングを送信することによって、ユーザは、彼/彼女の生命徴候、活動レベル、及び/又は姿勢情報を分かち合うことができる。ユーザは、彼/彼女の平均心拍数、呼吸率、姿勢、及び/又は圧力レベルと、一定期間の活動レベル又は目標活動レベルと、心電及び/又は呼吸波形と、前記システムで推薦したユーザが目前の使用する一つ又は複数のサービス（例えば、圧力を下げ、姿勢を正すなど）と、又はユーザが希望して分かち合うほかの何れかの情報とを送信することができる。
方法
【００６２】
図１０に示すように、本発明の実施形態における姿勢と生命徴候用モニターリングコンピュータ方法は、ユーザの運動を表示する第１の信号を受信するステップＳ１００と、ユーザの運動方向を表示する第２の信号を受信するステップＳ１１０と、ユーザの運動を表示する第１の信号とユーザの運動方向を表示する第２の信号を結合してユーザの姿勢を確定するステップＳ１２０と、ユーザの姿勢を変えるか否かをリコメンデーションすることを確定するステップＳ１３０と、ユーザの姿勢を変えることをリコメンデーションするであれば、ユーザに一つの動作を推薦して彼/彼女の姿勢を変えるステップＳ１４０と、を含む。本発明の方法は、ユーザの姿勢を検知するためであり、且つユーザがシステムの推薦によって彼/彼女の姿勢を変えさせることができる。
【００６３】
図１０に示すような一つの実施形態において、一つの姿勢と生命徴候用モニターリングコンピュータ方法は、ユーザの運動を表示する第１の信号を受信するステップＳ１００を含む。ステップＳ１００には、ユーザの運動に関わるデータを収集し、例えば、ファイバーセンサーを利用する。ファイバーセンサーは、クッション内に設けられ、例えば、こちらの前記の何れかのクッションの実施形態である。クッション内のファイバーセンサーの変形又は湾曲は、ファイバー内に異なる光伝送を招く。ファイバーにカップリングされる光信号受信器は、光伝送の変化を検知することに用いられる。各種実施形態における光信号受信器は、クッション内計算装置に電子的にカップリングされ、又はその一部分に形成されている。各種実施形態において、クッション内計算装置は、光信号受信器からの光伝送の変化を表示する信号（例えば、ユーザの運動を表示する信号）を受信する。
【００６４】
図１０に示すような一つの実施形態において、一つの姿勢と生命徴候用モニターリングコンピュータ方法は、ユーザの運動方向を表示する第２の信号を受信するステップＳ１１０を含む。ステップＳ１１０には、ユーザの運動方向に関わるデータを収集し、例えば、圧力センサーを利用する。クッション内に一つ又は複数の圧力センサーが設けられ、それぞれユーザがクッションの外表面に加える圧力を検知する。圧力センサー内の力収集器は、ユーザが招いた変形程度を検知する（例えば、光学、圧電、電磁などによる）。各種実施形態において、各圧力センサーは、クッション内計算装置に電子的にカップリングされ、且つ検知された圧力信号がクッション内計算装置によって受信する。
【００６５】
図１０に示すような一つの実施形態において、一つの姿勢と生命徴候用モニターリングコンピュータ方法は、ユーザの運動を表示する第１の信号とユーザの運動方向を表示する第２の信号を結合してユーザの姿勢を確定するステップＳ１２０を含む。ステップＳ１２０には、運動を表示する信号（即ち運動データ）と方向を表示する信号（即ち運動方向のデータ）を結合してユーザの姿勢を確定しており、ユーザ体重分配の変化又は骨盤の傾斜を有するか否かを確定し、従ってユーザが直立姿勢か否か、それとも身体前傾、身体後傾、身体左傾、身体右傾、猫背、又は他の直立ずれ姿勢を確定する。
【００６６】
例えば、図３Ｅに示すようなセンサーを参照しており、ユーザが身体前傾の場合に、二つの前側のセンサー１２ａ、１２ｄは、ほかのセンサーで検知する圧力により比較的大きい。更に、一つの実施形態において、例えば、身体後傾の場合に、二つの後側のセンサー１２ｃ、１２ｆは、ほかのセンサーで検知する圧力により比較的大きい。一つの実施形態において、ユーザが左傾の場合に、左側の三つのセンサー１２ａ、１２ｂ、１２ｃは、ほかのセンサーで検知する圧力により比較的大きい。一つの実施形態において、仮にユーザが右傾の場合に、右側の三つのセンサー１２ｄ、１２ｅ、１２ｆは、ほかのセンサーで検知する圧力により比較的大きい。一つの実施形態において、ユーザが猫背の場合に、ユーザの骨盤が後傾の位置（即ち後湾曲の位置）に回転し且つ後側のセンサー１２ｃ、１２ｆで検知する圧力が増加する。一つの実施形態において、ユーザがまっ直ぐに立つ場合に、圧力が実質的に六つのセンサー１２ａ、１２ｂ、１２ｃ、１２ｄ、１２ｅ、１２ｆの間に平均に分布され、又は許容可能な圧力分配比率によって全部の六つのセンサーの間に分布される。少しの実施形態として、ステップＳ１２０には、クッション内計算装置によって実施する。ほかの実施形態において、携帯式計算装置によって実施する。又は、クッション内計算装置と携帯式計算装置と結合して実施する。
【００６７】
少しの実施形態として、ステップＳ１２０には、クッション内計算装置によって実施する。これらの実施形態において、原始的光学センサーの信号及び原始的圧力センサーの信号をクッション内計算装置で受信して、処理して、及び結合する。ほかの実施形態において、ステップＳ１２０には、携帯式計算装置によって実施する。これらの実施形態において、クッション内計算装置で原始的信号を受信した次に、クッション内計算装置によって前記信号を少なくとも最低限の処理を行い、例えば、アナログ信号をデジタル信号に変換する。ほかの処理において、例えば、信号をフィルタリングしてノイズとアーチファクト（artifacts）を除いて、クッション内計算装置又は携帯式計算装置によって実施することができる。これらの実施形態において、部分に又は完全に処理された信号が携帯式計算装置に送信されてステップＳ１２０を実施する。部分に又は完全に処理された信号が有線接続（例えば、電纜）又は無線接続（例えば、ブルートゥース、低エネルギーブルートゥース、ほかの無線周波など）によって伝送することができる。ほかの実施形態において、リモート計算装置によってステップＳ１２０を実施する。これらの実施形態において、部分に又は完全に処理された信号が携帯式計算装置によって受信し、更に、選択可能に処理され、且つ携帯式計算装置からリモート計算装置に送信されてステップＳ１２０を実施する。前記信号は、Wi-Fi、CDMA、ほかのセルラープロトコル、ほかの無線周波、又はほかの無線接続などでリモート計算装置に送信される。
【００６８】
図１０に示すような一つの実施形態において、一つの姿勢と生命徴候用モニターリングコンピュータ方法は、ユーザの姿勢を変えるか否かをリコメンデーションすることを確定するステップＳ１３０を含む。少しの実施形態として、ユーザの姿勢を変えるか否かをリコメンデーションすることを確定することは、ユーザが直立脊柱の位置を逸脱するか否かを評価することを含む。上記の通り、第１の及び第２の信号がクッション内計算装置、携帯式計算装置、及び/又はリモート計算装置によって受信して、処理して、及び分析してユーザの姿勢を決定する。少しの実施形態において、ユーザの姿勢を表示するデータは、許容可能な及び/又は許容不可能な姿勢データの一つのデータベースと比較しており、分析されたユーザデータが一つの許容可能な範囲に入るか否か、及び姿勢を正す及び/又は改善することが必要か否かを確定する。少しの実施形態として、前記データのデータベースは、リモート計算装置に記憶され、ほかの実施形態において、前記データのデータベースは、直接に携帯式計算装置に記憶されている。少しの実施形態として、前記許容可能な及び/又は許容不可能な姿勢データのデータベースは、ユーザ過去の使用履歴から収集されたデータを含む。ほかの実施形態において、前記許容可能な及び/又は許容不可能な姿勢データのデータベースは、ほかの複数のユーザから収集されたデータを含む。ほかの実施形態において、前記データベースは、医学における推薦された数値又は数値範囲を含む。
【００６９】
図１０に示すような一つの実施形態において、姿勢と生命徴候用モニターリングコンピュータ方法は、ユーザの姿勢を変えることをリコメンデーションするのであれば、ユーザに一つの動作を推薦して姿勢を変えるステップＳ１４０を含む。ステップＳ１４０には、ユーザにリコメンデーション、動作項目及び/又は資源を提供するため、ユーザが便利で彼/彼女の姿勢を正す及び/又は改善することができる。少しの実施形態として、一つのリコメンデーション又は動作項目は、ユーザが立つ、歩く、ストレッチする、移動する、正確の姿勢（例えば、システムの指導をフォローする）、又はほかの何れかの活動をリコメンデーションすることを含む。少しの実施形態として、前記システム推薦する又はリコメンデーションする資源は、例えば、姿勢教育、健康な活動、及び/又は健康な又は不健康な姿勢の結果に関する一つ又は複数のメディアリンク（例えば、書籍、ウェブサイト、ポッドキャスト（podcast）など）である。少しの実施形態として、前記システムは、ユーザに一つのサービスを推薦し又はリコメンデーションし、例えば、マッサージ、カイロプラクター（chiropractor）、エクササイズコーチ（exercise coach）、ヨガクラス、ジム（gym）、SPA、又はほかのサービスである。各実施形態において、これらのリコメンデーションは、データベースから抽出し、例えば、リモート計算装置又は携帯式計算装置に記憶されたデータベースである。少しの実施形態として、各リコメンデーションは、データベースにおいて特定に検知した姿勢又は姿勢の必要変化にリンクされる。少しの実施形態として、前記リコメンデーションは、付加的に又は選択可能にユーザのプロファイル（profile）及び/又は人口データにリンクされる。例えば、あるリコメンデーションは、猫背に関連可能であり、システムは、一つの猫背のユーザを検知する場合に、一つ又は複数の関連するリコメンデーションがユーザに提供される。少しの実施形態として、システムは、ユーザが先に一つのリコメンデーションを応じることを検知するであれば、当該特定なリコメンデーションが記憶されることができ、且つ後にユーザが猫背を再び検知する場合に、再び推薦されることができる。
【００７０】
少しの実施形態として、一つの姿勢と生命徴候用モニターリングコンピュータ方法は、ユーザの生命徴候を表示する信号を受信するステップＳ１５０を含む。例えば、生命徴候信号は、第１のファイバーセンサー又は第２のファイバーセンサーで生成することができる。少しの実施形態として、一つ又は複数のセンサーは、例えばファイバーセンサーは、十分な感度を有しており、呼吸、心拍又はほかの生命機能などを表示する微運動を検知する。少しの実施形態として、生命徴候は、ユーザの呼吸波形及び/又は心電波形を含む。これらの波形から、それぞれ呼吸率及び/又は心拍数を検知して追従することができる。更に、少しの実施形態として、ユーザの圧力レベルは、心電波形及び/又は呼吸波形の変化に基づいて、又は少なくとも一部に基づいて、確定にする。例えば、一定期間（例えば、時、日、週）でユーザをモニターし、当該システムは、ユーザを校正することができ、便利でユーザの心電及び/又は呼吸波形の変化を確定する。又は、当該システムは、ユーザの心電及び/又は呼吸波形を同じ年齢組、性別、種族、社会階層、作業環境、位置、又はほかの比較可能性を有する群組中の個体と比較する。これらのデータに基づいて校正し及び/又は比較し、当該システムは、ユーザの圧力レベルを確定することができる。少しの実施形態として、ユーザの生命徴候及び/又は圧力レベルを確定した後に、システムは、ステップＳ１６０を実施し、当該ステップが、生命徴候を変えることをリコメンデーションするか否かを確定し、及びユーザの生命徴候を変えることをリコメンデーションするであれば、システムは、ユーザに一つの動作を推薦して生命徴候を変えるためであり、例えば、ステップＳ１７０に示すようである。前記推薦は、ユーザにリコメンデーション、動作項目及び/又は資源を提供することができ、便利でユーザが彼/彼女の圧力レベル及び/又は生命徴候を正す及び/又は改善する。少しの実施形態として、リコメンデーション又は動作項目は、ユーザに眠る、起床、立つ、歩く、ストレッチする、移動する、呼吸を緩める及び/又は増大する（例えば、システムの指導をフォローイングする）、冥想、又はほかの何れかの活動をリコメンデーションすることを含む。少しの実施形態として、システムは、一つの資源を推薦し又はリコメンデーションし、例えば、姿勢教育、健康な活動、及び/又は健康な又は不健康な姿勢の結果に関する一つ又は複数のメディアリンク（例えば、書籍、ウェブサイト、ポッドキャストなど）である。少しの実施形態として、前記システムは、ユーザに一つのサービスを推薦し又はリコメンデーションし、例えば、マッサージ、カイロプラクター、エクササイズコーチ、ヨガクラス、ジム、SPA、冥想クラス、テラピスト（therapist）、又はほか何れかのサービスである。
【００７１】
少しの実施形態として、一つの姿勢と生命徴候用モニターリングコンピュータ方法は、ユーザの姿勢、圧力レベル、及び/又は生命徴候を変えることが推薦されるのであれば、クッション内計算装置又は携帯式計算装置に一つの警報が生成されることを含む。前記警報が生成でき、ユーザに彼/彼女が目前の姿勢、圧力レベル、及び/又は生命徴候の異常を表示し、且つ調整、修正、及び/又は改善が必要である。システムは、クッションに及び/又は携帯式計算装置にユーザを警告することができ、聴覚的な、触覚的な/有形的な、視覚的な、及び/又は嗅覚的な警報によって使用する。例えば、一つの聴覚警報は、クッション内計算装置及び/又は携帯式計算装置に生成される一つの音声命令又は警報、又は音調（tonal）警報（例えば、ビープ（beep）、鐘の声（ding）など）を含むことができる。一つの有形的な警報又は触覚警報は、クッション内計算装置、携帯式計算装置及び/又はクッションの振動、及び/又はクッションの温暖化感覚（例えば、クッション内の一つ又は複数の発熱体又は加熱要素による）を含むことができる。一つの視覚警報は、クッション内計算装置及び/又は携帯式計算装置の一つのディスプレイに表示された一つのメッセージ（例えば、SMS、プッシュ通知（push notification）、バッジ通知（badge notification）など）、及び/又はクッション内計算装置及び/又は携帯式計算装置に位置し、又はそれにカップリングされたLED、又はほかの発光源によって一つの指示灯（例えば、赤、黄色、橙色、緑など）を生成する。嗅覚警報は、クッションからの一つ又は複数の芳香剤で発散した匂いを含む。芳香族化合物を引き起こして発散することは、通電した後に、導電トレース（conductive traces）によって加熱し、又は１組の導電コイル（electric coils）を加熱して実現し、例えば、ブランケット（blanket）に類似し、クッション内には、例えば、熱量によって芳香族化合物を液状から蒸気/気態に転換させており、ユーザの嗅覚システムによって検知されることができる。又は、クッションは、一つの隔室を含むことができ、その内にアロマティック（aromatic）香水又は化合物が収容され、このように、設定の期間において、例えば、ユーザの圧力などが不健康な水準に到達場合に、当該化合物が発散される（例えば、空気に吐出される）。少しの実施形態として、ユーザの圧力レベル及び/又は生命徴候を低下するために、クッションは、ラベンダ（lavender）、ジャスミン（jasmine）、カモミール（chamomile）、檀香（sandalwood）、薄荷（mint）の匂いを発散することができる。少しの実施形態として、クッションは、柑橘又はローズマリー（rosemary）の匂いを発散することができ、ユーザを励発し、励まし、例えば、呼び覚ます、立つ、歩く、及び/又は移動である。
【００７２】
少しの実施形態として、図１１に示すように、一つのユーザの姿勢を確定するコンピュータ実施方法は、システムで実施した一つ又は複数の機能によって確定し、且つ必要があれば、ユーザの姿勢を正す、ことを含む。少しの実施形態として、一つのファイバーセンサーと第２のセンサーは、クッションの内に嵌入され且つユーザの身体で生成する振動と運動信号を取得するように設置される。例えば、姿勢認識アルゴリズムは、ファイバーセンサーと第２のセンサーから信号を収集することに用いられ、目前の姿勢を分類することができる。このアルゴリズムは、目前の姿勢を表示するデータを認識し、及び当該データと第１の、第２の、及び/又は第３の計算装置に記憶される所定の姿勢データセットと比較することができる。少しの実施形態として、姿勢認識アルゴリズムは、目前の姿勢データと複数の所定の姿勢データセットとの間の比例スコアをマッチし、目前の姿勢データと最も緊密にマッチする所定の姿勢データセットを確定することができる。各の実施形態において、各の所定の姿勢データセットは、一つの異なる形式の姿勢を関連する。少しの実施形態として、認識したと分析したユーザの姿勢状態によってフィードバックを生成する。
【００７３】
これらの一つの実施形態において、図９に示すように、ユーザの姿勢を決定するコンピュータ実施方法は、第１のファイバーセンサー収集された第１の信号に基づいてユーザの体重を分析して及び/又は見積するステップＳ２００と、第１の信号に基づいて一つの姿勢認識パラメータセットを更新するステップＳ２１０と、第１のファイバーセンサーでユーザの身体活動に基づいて分析した姿勢の変化事件を検知するステップＳ２２０と、第２のセンサーで第２の信号を収集し、且つ前記姿勢認識パラメータセットに基づいて第２の信号を分類して、ユーザの新姿勢を確定するステップＳ２３０と、及び新しい姿勢をユーザへフィードバックを許すか否か、新姿勢に変えることを確定するステップＳ２４０を含む。
【００７４】
例えば、一つ又は複数のファイバーセンサーによって収集したファイバーの変形量を表示する信号は、それ自身もクッションに加えた作用力の大きさを表示し、従って、前記信号は、分析されてユーザ大概の体重を確定することができる。ユーザの体重範囲は、一つの姿勢認識パラメータセットを意味し、当該姿勢認識パラメータセットは、例えば、姿勢分類係数、各種姿勢種類/分類の閾値などを含むことができる。例えば、一旦ユーザの体重の評価値が確定し、システムは、ユーザの体重及び一つ又は複数の姿勢認識パラメータ及び/又は等式を利用し、仮にユーザが一つの健康な、直立な姿勢で坐る場合に一つ又は複数の第２のセンサーに加える可能な圧力又は作用力の大きさを計算することができる。少しの実施形態として、システムは、一つの姿勢認識アルゴリズムを実施し、一つ又は複数の第２のセンサーで検知した実際の圧力又は作用力と期待的な直立位置の圧力又は作用力とを比較しており、ユーザが目前の健康な直立姿勢で坐るか否かを確定する。
【００７５】
各種の実施形態において、ファイバー信号は、また、姿勢変化事件を検知するためである。ファイバーの変形変化によってファイバー信号の変化を引き起こす場合に、姿勢変化事件は、ユーザ体重分布の変化が何れかの期間にファイバーの変形の変化を招くことを検知することができる。検知された姿勢変化事件は、新しい姿勢認識アルゴリズムをトリガーする。少しの実施形態として、前記新しい姿勢認識アルゴリズムは、一つ又は複数の第２のセンサーで収集された第２の信号を分類することを含む。例えば、第２の信号は、一つの学習姿勢モジュールと一つの姿勢認識パラメータセットで制御した姿勢認識アルゴリズムによって分類されることができる。
【００７６】
少しの実施形態として、姿勢モジュールの学習は、クッション内計算装置で採集された大量の訓練見本から習わされている。訓練階段において、訓練見本は、データ収集期間に複数のユーザが規定する姿勢位置又は種類から収集されている。収集された訓練見本は、続いて分析され、且つ各の訓練見本から一つの標準化特徴セットが抽出される。抽出された特徴セットと相応に収集された姿勢分類セットとを利用し、多種の機械学習アルゴリズム及び/又は技術によって運用しており、姿勢モジュールを作る。少しの実施形態として、第２の信号は、少なくともある程度上に、一つの姿勢認識アルゴリズムによって前処理と分析を行うことができる。訓練階段と同じ方法を利用して第２の信号から一つの標準化特徴セットを抽出する。抽出された標準化特徴セットが学習モジュールに入力されており、第２の信号の姿勢種類を決定する。姿勢認識パラメータは、ユーザ体重評価階段にファイバーでデータを設置した各特徴のウェイト係数、分類機係数及び各種姿勢種類の閾値などのモジュールパラメータを含む。少しの実施形態として、ユーザが一つの直立位置に坐らないことを確定する場合に、一つの姿勢推薦アルゴリズムが生成してユーザにフィードバックする。システムは、一つのリマインダー及び/又は指導を確定してユーザの新姿勢を変えることが必要である場合に、前記フィードバックを生成することができる。これらの実施形態において、一組の連続な（又は頻繁に得られた）姿勢状態は、第３の、第２の及び/又は第１の計算装置の一つのデータ構造（例えば、円形バッファ、循環バッファ、又は円環ブッファ）に記憶されている。前記姿勢状態が分析されることができ、ユーザへ第２の計算装置に一つのリマインダー及び/指導をトリガーして且つ送信すべきか否かを確定しており、ユーザの姿勢を変える。
【００７７】
少しの実施形態として、一つの姿勢と生命徴候用モニターリングコンピュータ方法は、第１の、第２の、及び第３の信号からの一つ又は複数の信号に基づいて、ユーザの一つの睡眠周期をモニターすることを含む。当該方法は、ユーザの姿勢及び/又は生命徴候と、何時適宜に眠りからユーザを呼び覚ますかと、及び/又はユーザの一つ又は複数の健康状況と、を確定することができる。例えば、ユーザの呼吸率及び/又は心拍数に基づいて、当該システムは、ユーザREM（ rapid eye movemets）と非REM睡眠周期を区別することができる。仮にユーザの睡眠周期に頻繁に中断を発生する場合に、当該システムは、ユーザを警告することができる。少しの実施形態として、システムは、一つの信号を生成しており、クッション内の一つの振動機をトリガーし、又はクッション内部から一つの芳香族化合物を散発し、例えば、ユーザの適宜な睡眠周期階段にユーザを呼び覚ます。
【００７８】
図１１に示すような実施形態のフローチャートは、一つのユーザがクッションに坐るナップ期間の一つ又は複数の生命徴候用モニターリング方法を掲示している。少しの実施形態として、当該方法は、ユーザが眠りたい（nap）一つ又は複数の入力を受信するステップＳ３００ａを含む。例えば、ユーザは、一つの眠り時間の長さ範囲（例えば、１５-２０分、２０-３０分、３０-６０分など）を選択することができ、且つ眠り時間の長さ範囲を携帯式計算装置に入力する。又は、少しの実施形態として、当該方法は、クッション内計算装置及び/又は携帯式計算装置が、ユーザに眠りを推薦することが可能であるステップＳ３００ｂを含む、例えば、クッション内計算装置及び/又は携帯式計算装置は、ユーザの向上する圧力レベル、又は緩める心拍数及び/又は呼吸率を検知してユーザが眠りから有益を受けることを表明し、且つ警告、通知又はユーザに眠りを推薦することができる。警告又は通知は、ユーザに通知、SMS、ほかの視覚通知、音声警報、触覚ディスプレイ、又はほかの通知をプッシュしており、ユーザに眠ることを通知することを含むことができる。少しの実施形態として、システムは、ユーザがより容易に入眠させることを協力することができ、例えば、緩やかな音楽を放送し、平静な匂いを発散し、クッションによって柔らかにユーザをマッサージし、又はほかの何れかのタイプの便利にする。少しの実施形態として、当該方法は、ユーザの睡眠階段を確定するステップＳ３１０を含む。ファイバーセンサー及び/又は第２のセンサーで一つ又は複数の生命徴候を検知し、クッション内計算装置及び/又は携帯式計算装置は、レム睡眠（REM）とノンレム（non-REM）睡眠周期、及び/又はユーザが何時に軽度睡眠と深度睡眠であるかを区分することができる。少しの実施形態として、前記方法は、ユーザの睡眠階段がユーザを覚醒する適合な睡眠階段か否かを確定するステップＳ３２０を含む。例えば、システムは、ユーザが軽度睡眠及び/又はノンレム睡眠周期を経ていることを確定し、そして軽度睡眠及び/又はノンレム睡眠周期にユーザを覚醒することができる。少しの実施形態として、システムがユーザを覚醒することは、ユーザで選択する眠り時間の長さ範囲に行って、この時ユーザが軽度睡眠及び/又はノンレム睡眠周期を経て、例えば、できるだけユーザがグロッキー（groggy）、方向不明な、又はよく眠れない感覚した昼寝を減少する。少しの実施形態として、前記方法は、仮に睡眠階段が適合であれば、眠りからユーザを覚醒するステップＳ３３０を含む。例えば、システムは、ユーザが適合な昼寝時間の長さ範囲に軽度睡眠及び/又はノンレム睡眠周期を経ていることを確定する可能であり、ユーザを覚醒するが最小な副作用（例えば、がたがた（grogginess）、眠気など）を有する。少しの実施形態として、システムは、振動モジュール、ほかの触覚信号、聴覚信号（例えば、警報、クッション内計算装置及び/又は携帯式計算装置から放送した音楽など）、嗅覚信号、又は前記のほかの信号によってユーザを覚醒する。少しの実施形態として、聴覚信号は、低いデシベル（decibel）からより高いデシベルにエスカレート（escalate）しており、軽くて段階的にユーザを覚醒する。
【００７９】
本発明のシステム及び方法に係る好適な実施例及びその変形方式は、少なくとも一部を機械でコンピュータ読取り可能なミディアムに記憶されるコンピュータ読取り可能な指令を表示する又は実施することができる。好適に、前記指令の実施は、コンピュータ実施可能な要素及びクッション内計算装置及び/又は携帯式計算装置のプロセッサーの一つ又は複数の部分で完成することが最も良く、コンピュータ実施可能な要素は、前記システムに集積されることが最も良い。コンピュータ読取り可能なミディアム（medium）は、何れかのコンピュータ読取り可能なミディア（media）例えRAMs、ROMs、フラッシュメモリー、EEPROMs、光学素子（例えば、CD又はDVD）、ハードディスク、フロッピーディスク、又は何れかの適合な装置に記憶されることができる。コンピュータ実施可能な素子は、好適に、汎用又は専用プロセッサーであり、しかし、何れか適合な専用ハードウェア及び/又はハードウェア/ファームウェア組合せは、又は前記指令を実施することができる。
【００８０】
本発明の明細書又は請求の範囲に言及する単数形式「一つ（a 又は an）」、と「これら（the）」がそれぞれ単複数の両種の場合を含み、明確な指摘が除く以外。例えば、言葉「一つのセンサー」は、複数のセンサーを含むことができ、且つ含むことを思料する。時に、明細書又は請求の範囲において、言葉例えば「複数」、「一つ又は複数」、又は「少なくとも一つ」を含むことが可能であり、しかしながら、こんな限定はない場合に、意味しない且つ意味することに解釈されるべきではなく、複数と言うことを想定し得ない。
【００８１】
言葉「略（about）」又は「近似（approximately）」は、数字の限定又は範囲（例えば、長さ又は圧力を定義する）の前に用いられ、表示した近似は、（＋）又は（-）５％、１％、又は０．１％の範囲の変化可能である。ここで提供した全部の数値範囲は、既に定義される開始数字を含む。言葉「実質的に（substantially）」は、主に（即ち５０％より大きい）又は実質的に全部の装置、物質、又は組成を表示する。
【００８２】
ここで使用する術語「含む（comprising又はcomprises）」は、装置、システム、及び方法が引用される要素を含み、また他の何れかの要素を含むことを意味している。本質的に組み合わせる（Consisting essentially of）は、装置、システム、及び方法が引用される要素を含み、しかし、予定な目的の結合に対して重要な意義を有する他の要素を含まないことを意味するべきである。従って、一つのシステム又は方法の本質的に組み合わせる要素は、これらの請求項の限定する基礎と新規性を有する他の物質、特性、又はステップを実質的に影響しないことを排除しない。組み合わせる（Consisting of）は、装置、システム、及び方法が引用される要素を含み、且つ何れか一つ以上の微細な、又は無関係の要素又はステップを排除するべきであることを意味する。各の過渡術語で定義する実施形態は、全て本発明の範囲に落とす。
【００８３】
ここで挙げられる例と図面との掲示及び本発明の実施可能な具体的な実施形態は、例を挙げるだけであり、これに限定されるものではない。これによって他の実施形態を利用して又は派生しており、本発明の掲示される範囲を逸脱することなく構造と論理との替える及び変えることが便利である。本発明の保護する主旨に係るこれらの実施形態は、便利にするだけ単独な又は共同な「本発明」を指摘し、しかし、主観に本願の範囲を何れかの発明又は発明概念に限定しなく、例えば、一つではない発明が掲示される場合である。従って、ここで具体的な実施形態が掲示されるが、でも依然に同じ目的を取得する何れかの方案によって替えることができる。本明細書の目的は、何れかと全ての適合な又は変化の実施形態をカバーしている。上記実施形態の組み合わせと、及び他の特別に説明しない実施形態とは、当業者が上記明細書に基づいての記載が明らかにわかる。
【図１】
2017535316.tif 000003
【図２】
2017535316.tif 000004
【図３Ａ】
2017535316.tif 000005
【図３Ｂ】
2017535316.tif 000006
【図３Ｃ】
2017535316.tif 000007
【図３Ｄ】
2017535316.tif 000008
【図３Ｅ】
2017535316.tif 000009
【図３Ｆ】
2017535316.tif 000010
【図４】
2017535316.tif 000011
【図５】
2017535316.tif 000012
【図６】
2017535316.tif 000013
【図７Ａ】
2017535316.tif 000014
【図７Ｂ】
2017535316.tif 000015
【図８Ａ】
2017535316.tif 000016
【図８Ｂ】
2017535316.tif 000017
【図８Ｃ】
2017535316.tif 000018
【図８Ｄ】
2017535316.tif 000019
【図８Ｅ】
2017535316.tif 000020
【図８Ｆ】
2017535316.tif 000021
【図８Ｇ】
2017535316.tif 000022
【図８Ｈ】
2017535316.tif 000023
【図８Ｉ】
2017535316.tif 000024
【図８Ｊ】
2017535316.tif 000025
【図９】
2017535316.tif 000026
【図１０】
2017535316.tif 000027
【図１１】
2017535316.tif 000028
【図１２】
2017535316.tif 000029
【国際調査報告】
2017535316.tif 000030
2017535316.tif 000031